【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
ビデオ・ストリームから描画機器用のビデオ・フレームを構成する方法であって、
前記ビデオ・ストリームから第１の情報を取得することであって、前記第１の情報は、前記ビデオ・ストリームから得られる元のビデオ・フレームの第１の区域のサイズと位置とを表している、ことと、
矩形マッピングに従って、前記第１の区域を復号化することと、
前記描画機器が没入型ビデオ描画機器である場合は、
前記ビデオ・ストリームから第２の情報を取得することであって、前記第２の情報は、レイアウトのタイプ、前記第１の部分の視野、第２の区域のサイズ、及び、基準方向を表している、ことと、
前記第１の情報及び前記第２の情報を用いることにより、前記矩形マッピングから没入型マッピングへの過渡的なマッピングに従って、前記第２の区域を復号化することと、
前記第１の情報及び前記第２の情報を用いることにより、前記没入型マッピングに従って、前記元のビデオ・フレームの第３の区域を復号化することと、
前記第１の区域、前記第２の区域、及び前記第３の区域によって、前記ビデオ・フレームを構成すること、
を含む方法。
【請求項２】
前記レイアウトは、エクイレクタングラー・マッピング、キューブ・マッピング及びピラミッド・マッピングを含む没入型マッピングの集合に属する１つの没入型マッピングに基づいている、請求項１に記載の方法。
【請求項３】
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、請求項１又は２に記載の方法。
【請求項４】
ビデオ・ストリームから描画機器用のビデオ・フレームを構成するように構成された装置であって、
前記ビデオ・ストリームから第１の情報を取得する手段であって、前記第１の情報は、前記ビデオ・ストリームから得られる元のビデオ・フレームの第１の区域のサイズと位置とを表している、手段と、
矩形マッピングに従って、前記第１の区域を復号化する手段と、
前記描画機器が没入型ビデオ描画機器である場合は、
前記ビデオ・ストリームから第２の情報を取得する手段であって、前記第２の情報は、レイアウトのタイプ、前記第１の部分の視野、第２の区域のサイズ、及び、基準方向を表している、手段と、
前記第２の情報を用いることにより、前記矩形マッピングから没入型マッピングへの過渡的なマッピングに従って、前記第２の区域を復号化する手段と、
前記第１の情報及び前記第２の情報を用いることにより、前記没入型マッピングに従って、前記元のビデオ・フレームの第３の区域を復号化する手段と、
前記第１の区域、前記第２の区域、及び前記第３の区域によって、前記ビデオ・フレームを構成するプロセッサと、
を備える装置。
【請求項５】
前記レイアウトは、エクイレクタングラー・マッピング、キューブ・マッピング及びピラミッド・マッピングを含む没入型マッピングの集合に属する１つの没入型マッピングに基づいている、請求項４に記載の装置。
【請求項６】
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、請求項４又は５に記載の装置。
【請求項７】
前記装置が、モバイル機器、通信機器、ゲーム機器、タブレット型コンピュータ、ラップトップ、符号化チップ、静止画像サーバ、ビデオ・サーバ、ブロードキャスト・サーバ、ビデオオンデマンド・サーバ、及び、ウェブサーバを含む装置の集合に属する、請求項４から６のいずれか１項に記載の装置。
【請求項８】
没入型ビデオ・フレームからビデオ・ストリームを生成する方法であって、
矩形マッピングに従って没入型ビデオ・フレームの第１の部分を符号化することと、
前記矩形マッピングから没入型マッピングへの過渡的なマッピングに従って、前記没入型ビデオ・フレームの第２の部分を符号化することと、
前記没入型マッピングに従って前記没入型ビデオ・フレームの第３の部分を符号化することと、
前記第１の部分を第１の区域として、前記第２の部分を第２の区域として、及び、前記第３の部分を第３の区域として備えたレイアウトに従って、ビデオ・フレームを構成することと、
前記構成されたビデオ・フレームと、前記第１の区域のサイズと位置とに関する第１の情報と、少なくとも、前記レイアウトのタイプ、前記第１の部分の視野、前記第２の区域のサイズ、及び、基準方向を含む第２の情報と、を含む前記ビデオ・ストリームを生成することと、
を含む方法。
【請求項９】
前記レイアウトは、エクイレクタングラー・マッピング、キューブ・マッピング及びピラミッド・マッピングを含む没入型マッピングの集合に属する１つの没入型マッピングに基づいている、請求項８に記載の方法。
【請求項１０】
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、請求項８又は９に記載の方法。
【請求項１１】
没入型ビデオからビデオ・ストリームを生成するように構成された装置であって、
矩形マッピングに従って没入型ビデオ・フレームの第１の部分を符号化するように構成された符号化器と、
前記矩形マッピングから没入型マッピングへの過渡的なマッピングに従って、前記没入型ビデオ・フレームの第２の部分を符号化するように構成された符号化器と、
前記没入型マッピングに従って前記没入型ビデオ・フレームの第３の部分を符号化するように構成された符号化器と、
前記第１の部分を第１の区域として、前記第２の部分を第２の区域として、及び、前記第３の部分を第３の区域として備えたレイアウトに従って、ビデオ・フレームを構成するように構成されたプロセッサと、
前記構成されたビデオ・フレームと、前記第１の区域のサイズと位置とに関する第１の情報と、少なくとも、前記レイアウトのタイプ、前記第１の部分の視野、前記第２の区域のサイズ、及び、基準方向を含む第２の情報と、を含む前記ビデオ・ストリームを生成するように構成されたビデオ・ストリーム生成器と、
を備える装置。
【請求項１２】
前記レイアウトは、エクイレクタングラー・マッピング、キューブ・マッピング及びピラミッド・マッピングを含む没入型マッピングの集合に属する１つの没入型マッピングに基づいている、請求項１１に記載の装置。
【請求項１３】
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、請求項１１又は１２に記載の装置。
【請求項１４】
没入型ビデオを表すデータを搬送するストリームであって、前記データは、
矩形マッピングに従って符号化された第１の区域と、前記矩形マッピングから没入型マッピングへの過渡的なマッピングに従って符号化された第２の区域と、前記没入型マッピングに従って符号化された第３の区域とを含むレイアウトに従って編成されたビデオ・フレームと、
前記ビデオ・フレーム内における前記第１の区域のサイズ及び位置を表す第１の情報と、
少なくとも、前記レイアウトのタイプ、第１の部分の視野、前記ビデオ・フレーム内における前記第２の区域のサイズ、及び、基準方向を含む第２の情報と、
を含むストリーム。
【請求項１５】
前記レイアウトは、エクイレクタングラー・マッピング、キューブ・マッピング及びピラミッド・マッピングを含む没入型マッピングの集合に属する１つの没入型マッピングに基づいている、請求項１４に記載のストリーム。
【請求項１６】
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、請求項１４又は１５に記載のストリーム。
【手続補正２】
【補正対象書類名】明細書
【補正対象項目名】００７７
【補正方法】変更
【補正の内容】
【００７７】
以上、多数の実施形態を説明した。それでも、種々の修正が可能であることは理解されるであろう。例えば、相異なる実施形態の要素を組み合わせて、又は補って、又は修正して、又は取り除いて、別の実施形態を作成してもよい。更に、当業者であれば、ここに開示された構成及び処理の代わりに別のものを代用して、その結果として得られる実施形態が、ここに開示された実施形態と少なくとも実質的に同じやり方で、少なくとも実質的に同じ機能を果たして、少なくとも実質的に同じ効果を実現できることが分かるであろう。従って、これらの実施形態及びその他の実施形態は本願によって予期されている。
上述の実施形態の一部又は全部は、以下の付記のように記載され得るが、以下には限定されない。
（付記１）
ビデオ・ストリームから描画機器用のビデオ・フレームを構成する方法（１１０）において、前記方法は、
前記ビデオ・ストリームから第１の情報を取得すること（１１３）であって、前記第１の情報は、前記ビデオ・ストリームから得られる元のビデオ・フレームの第１の区域のサイズと位置とを表している、該取得することを含んでおり、
前記描画機器が没入型ビデオ描画機器である場合は、
前記ビデオ・ストリームから第２の情報を取得すること（１１５）であって、前記第２の情報は、レイアウトのタイプ、前記第１の部分の視野、第２の区域のサイズ、及び、基準方向を表している、該取得することと、
前記第１及び第２の情報に従って、かつ、前記元のビデオ・フレームを用いて、マッピング済み表面を作成すること（１１６）と、
前記マッピング済み表面の一部分によって前記ビデオ・フレームを構成すること（１１７）と、を含み、
その他の場合は、
前記元のビデオ・フレームの前記第１の区域によって前記ビデオ・フレームを構成すること（１１４）を含む、
ことを特徴とする、前記方法。
（付記２）
前記レイアウトは、エクイレクタングラー・マッピング、キューブ・マッピング及びピラミッド・マッピングを含む没入型マッピングの集合に属する１つの没入型マッピングに基づいている、付記１に記載の方法。
（付記３）
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、付記１又は２に記載の方法。
（付記４）
ビデオ・ストリームから描画機器用のビデオ・フレームを構成するように構成された装置（９０）において、前記装置は、
前記ビデオ・ストリームから第１の情報を取得する手段であって、前記第１の情報は、前記ビデオ・ストリームから得られる元のビデオ・フレームの第１の区域のサイズと位置とを表している、該手段を備えており、
前記描画機器が没入型ビデオ描画機器である場合は、
前記ビデオ・ストリームから第２の情報を取得する手段であって、前記第２の情報は、レイアウトのタイプ、前記第１の部分の視野、第２の区域のサイズ、及び、基準方向を表している、該手段と、
前記第１及び第２の情報に従って、かつ、前記元のビデオ・フレームを用いて、マッピング済み表面を作成するように構成されたプロセッサと、
前記マッピング済み表面の一部分によって前記ビデオ・フレームを構成するように構成されたプロセッサと、を備え、
その他の場合は、
前記元のビデオ・フレームの前記第１の区域によって前記ビデオ・フレームを構成するように構成されたプロセッサを備えている、
ことを特徴とする、前記装置。
（付記５）
前記レイアウトは、エクイレクタングラー・マッピング、キューブ・マッピング及びピラミッド・マッピングを含む没入型マッピングの集合に属する１つの没入型マッピングに基づいている、付記４に記載の装置。
（付記６）
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、付記４又は５に記載の装置。
（付記７）
前記装置が、モバイル機器、通信機器、ゲーム機器、タブレット型コンピュータ、ラップトップ、符号化チップ、静止画像サーバ、ビデオ・サーバ、ブロードキャスト・サーバ、ビデオオンデマンド・サーバ、及び、ウェブサーバを含む装置の集合に属する、付記４から６のいずれか１項に記載の装置。
（付記８）
没入型ビデオからビデオ・ストリームを生成する方法（１００）において、前記方法は、
矩形マッピングに従って没入型ビデオ・フレームの第１の部分を符号化すること（１０４）と、
前記矩形マッピングから没入型マッピングへの過渡的なマッピングに従って、前記没入型ビデオ・フレームの第２の部分を符号化すること（１０５）と、
前記没入型マッピングに従って前記没入型ビデオ・フレームの第３の部分を符号化すること（１０６）と、
前記第１の部分を第１の区域として、前記第２の部分を第２の区域として、及び、前記第３の部分を第３の区域として備えたレイアウトに従って、ビデオ・フレームを構成すること（１０３）と、
前記構成されたビデオ・フレームと、前記第１の区域のサイズと位置とに関する第１の情報と、少なくとも、前記レイアウトのタイプ、前記第１の部分の視野、前記第２の区域のサイズ、及び、基準方向を含む第２の情報と、を含む前記ビデオ・ストリームを生成すること（１０７）と、
を含んでいることを特徴とする、前記方法。
（付記９）
前記レイアウトは、エクイレクタングラー・マッピング、キューブ・マッピング及びピラミッド・マッピングを含む没入型マッピングの集合に属する１つの没入型マッピングに基づいている、付記８に記載の方法。
（付記１０）
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、付記８又は９に記載の方法。
（付記１１）
没入型ビデオからビデオ・ストリームを生成するように構成された装置（９０）において、前記装置は、
矩形マッピングに従って没入型ビデオ・フレームの第１の部分を符号化するように構成された符号化器と、
前記矩形マッピングから没入型マッピングへの過渡的なマッピングに従って、前記没入型ビデオ・フレームの第２の部分を符号化するように構成された符号化器と、
前記没入型マッピングに従って前記没入型ビデオ・フレームの第３の部分を符号化するように構成された符号化器と、
前記第１の部分を第１の区域として、前記第２の部分を第２の区域として、及び、前記第３の部分を第３の区域として備えたレイアウトに従って、ビデオ・フレームを構成するように構成されたプロセッサと、
前記構成されたビデオ・フレームと、前記第１の区域のサイズと位置とに関する第１の情報と、少なくとも、前記レイアウトのタイプ、前記第１の部分の視野、前記第２の区域のサイズ、及び、基準方向を含む第２の情報と、を含む前記ビデオ・ストリームを生成するように構成されたビデオ・ストリーム生成器と、
を備えていることを特徴とする、前記装置。
（付記１２）
前記レイアウトは、エクイレクタングラー・マッピング、キューブ・マッピング及びピラミッド・マッピングを含む没入型マッピングの集合に属する１つの没入型マッピングに基づいている、付記１１に記載の装置。
（付記１３）
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、付記１１又は１２に記載の装置。
（付記１４）
没入型ビデオを表すデータを搬送するストリーム（７０）であって、前記データは、
矩形マッピングに従って符号化された第１の区域と、前記矩形マッピングから没入型マッピングへの過渡的なマッピングに従って符号化された第２の区域と、前記没入型マッピングに従って符号化された第３の区域とを含むレイアウトに従って編成されたビデオ・フレームと、
前記ビデオ・フレーム内における前記第１の区域のサイズ及び位置を表す第１の情報と、
少なくとも、前記レイアウトのタイプ、第１の部分の視野、前記ビデオ・フレーム内における前記第２の区域のサイズ、及び、基準方向を含む第２の情報と、
を含んでいることを特徴とする、前記ストリーム。
（付記１５）
前記レイアウトは、エクイレクタングラー・マッピング、キューブ・マッピング及びピラミッド・マッピングを含む没入型マッピングの集合に属する１つの没入型マッピングに基づいている、付記１４に記載のストリーム。
（付記１６）
前記第１の情報はＣｏｎｆｏｒｍａｎｃｅＷｉｎｄｏｗのパラメータによって搬送され、前記第２の情報はＳｕｐｐｌｅｍｅｎｔａｌＥｎｈａｎｃｅｍｅｎｔＩｎｆｏｒｍａｔｉｏｎ（ＳＥＩ）によって搬送される、付記１４又は１５に記載のストリーム。